(57)【要約】【課題】吹き返し現象の発生に起因するデポジットの発生を抑えることのできるインテークマニホールドを提供する。【解決手段】インテークマニホールド２０は、サージタンク２１と、一端がサージタンク２１に連通されて同サージタンク２１の内部に空気を導入する筒状のコネクタ２２と、サージタンク２１に各別に連通されて同サージタンク２１内の空気を分配する複数の分岐管２３とを備える。インテークマニホールド２０には、一端がコネクタ２２に連通されて同コネクタ２２の内部にブローバイガスを導入する筒状のＰＣＶ管２７が設けられている。コネクタ２２の内壁には、導入路３０の開口の周縁に沿って延びる邪魔板３１が突設されている。【選択図】図２
2020026772.tif 000002
【特許請求の範囲】
【請求項１】
サージタンクと、
一端が前記サージタンクに連通されるとともに他端に導入路を有して、前記サージタンクの内部に空気を導入する筒状のコネクタと、
前記サージタンクにおける前記コネクタからの空気の導入方向に沿って延びる壁部に各別に接続されて前記サージタンク内の空気を分配する複数の分岐管と、
一端が前記サージタンクおよび前記コネクタの一方に連通されて同サージタンクの内部にブローバイガスを導入する筒状のブローバイガス部と、を備えるインテークマニホールドにおいて、
前記コネクタの内壁には、前記導入路の周縁に沿って延びる邪魔板が突設されている
ことを特徴とするインテークマニホールド。
【請求項２】
前記インテークマニホールドは、一端が前記コネクタに連通されて同コネクタの内部にＥＧＲガスを導入する筒状のＥＧＲ部を備えており、
前記コネクタは、前記導入路を有する頂壁と、該頂壁の周縁から立設されて前記ＥＧＲ部が接続される環状の側周壁と、を有しており、
前記導入路が延びる方向において前記コネクタを見た状態で同コネクタの内部における前記導入路の開口の中心と前記ＥＧＲ部の開口の中心とを繋ぐ仮想線を描いた場合に、前記邪魔板は前記仮想線と重なる部分には設けられていない
請求項１に記載のインテークマニホールド。
【請求項３】
前記コネクタの内壁は、前記邪魔板の外周側において、前記導入路の開口の周縁に沿って延びる筒状の外周壁部を有する
請求項１または２に記載のインテークマニホールド。
【請求項４】
前記邪魔板の突端は、前記導入路の周縁に沿う方向において突出高さが高い部分と低い部分とが交互に並ぶ凸凹形状になっている
請求項１〜３のいずれか一項に記載のインテークマニホールド。
【発明の詳細な説明】
【技術分野】
【０００１】
本発明は、内燃機関のインテークマニホールドに関するものである。
【背景技術】
【０００２】
内燃機関には吸気系の一部をなすインテークマニホールドが設けられている（特許文献１参照）。このインテークマニホールドは、サージタンクと、同サージタンクに連通された筒状のコネクタと、サージタンクの内壁における上記コネクタからの空気の導入方向に沿って延びる壁部に連通された複数の分岐管とを有している。コネクタの先端の導入路は吸気流れ方向上流側の吸気通路に連通されており、複数の分岐管は内燃機関の各吸気ポートに接続されている。こうしたインテークマニホールドによって吸気通路に吸入される空気が内燃機関の各気筒に分配される。
【０００３】
また、インテークマニホールドのサージタンク（またはコネクタ）に、内燃機関のクランクケース内のガス（ブローバイガスを含む）を吸気通路に排出して処理するための通路（ブローバイガス通路）の一端を接続することが提案されている。こうしたインテークマニホールドでは、ブローバイガス通路を通じてサージタンク内に排出されるケース内ガスが、同サージタンク内において吸入空気と混合されたうえで内燃機関の各気筒に分配される。
【先行技術文献】
【特許文献】
【０００４】
【特許文献１】特開２００９−２０３９２９号公報
【発明の概要】
【発明が解決しようとする課題】
【０００５】
インテークマニホールドでは、内部に一旦導入された空気がコネクタの導入路を介して上流側の吸気通路に逆流する現象、いわゆる吹き返し現象が発生するおそれがある。サージタンクにブローバイガス通路が連通される構造のインテークマニホールドでは、吹き返し現象が発生すると、一時的であるとはいえ、吸入空気ともどもケース内ガスが上流側の吸気通路に逆流して導入されるようになる。ケース内ガスは未燃燃料成分やオイル成分を含んでいる。そのため、吹き返し現象の発生は、上流側の吸気通路におけるデポジット発生の原因になってしまう。
【０００６】
本発明は、そうした実情に鑑みてなされたものであり、その目的は、吹き返し現象の発生に起因するデポジットの発生を抑えることのできるインテークマニホールドを提供することにある。
【課題を解決するための手段】
【０００７】
上記課題を解決するためのインテークマニホールドは、サージタンクと、一端が前記サージタンクに連通されるとともに他端に導入路を有して、前記サージタンクの内部に空気を導入する筒状のコネクタと、前記サージタンクにおける前記コネクタからの空気の導入方向に沿って延びる壁部に各別に接続されて前記サージタンク内の空気を分配する複数の分岐管と、一端が前記サージタンクおよび前記コネクタの一方に連通されて同サージタンクの内部にブローバイガスを導入する筒状のブローバイガス部と、を備えるインテークマニホールドにおいて、前記コネクタの内壁には、前記導入路の周縁に沿って延びる邪魔板が突設されている。
【０００８】
吹き返し現象は次のようにして生じる。すなわち、コネクタの導入路からインテークマニホールド内に導入された空気の一部が、吸気脈動などによって、導入路の周縁付近に戻るようになる。そして、導入路の周縁付近に戻った空気が、その導入路からコネクタ内に流入する空気の流れに周縁から巻き込まれるようにして導入路に進入するとともに、上流側の吸気通路に戻るようになる。
【０００９】
上記構成では、コネクタの内壁における導入路の周縁に邪魔板が設けられているため、導入路の周縁付近に戻った空気の流れが上記邪魔板に突き当たってコネクタの内壁面から離間する方向、すなわち導入路からコネクタ内に流入する空気の流れに沿う方向に曲げられるようになる。このように上記構成によれば、導入路の周縁付近に戻された空気の流れが同導入路の内部に向かい難い構造にすることができる。これにより、吹き返し現象の発生を抑えることができるため、吹き返し現象の発生に起因するデポジットの発生を抑えることができる。
【発明の効果】
【００１０】
本発明によれば、吹き返し現象の発生に起因するデポジットの発生を抑えることができる。
【図面の簡単な説明】
【００１１】
【図１】インテークマニホールドの一実施形態の斜視図。
【図２】インテークマニホールドの図１の２−２線に沿った側断面図。
【図３】インテークマニホールドの図１の３−３線に沿った側断面図。
【図４】コネクタの図１の矢印４方向から見た平面図。
【図５】コネクタの底断面図。
【図６】コネクタの図４の６−６線に沿った側断面図。
【図７】コネクタの図６の７−７線に沿った平断面図。
【図８】コネクタ内における凹溝およびその周辺を拡大して示す側断面図。
【図９】コネクタの図７の９−９線に沿った側断面図。
【図１０】他の実施形態のインテークマニホールドのコネクタの底断面図。
【図１１】その他の実施形態のインテークマニホールドのコネクタの側断面図。
【発明を実施するための形態】
【００１２】
以下、インテークマニホールドの一実施形態について、図１〜図９を参照して説明する。なお、この実施形態では、図１の上下方向をインテークマニホールド２０の上下方向として説明する。
【００１３】
図１〜図３に示すように、インテークマニホールド２０は、サージタンク２１と、コネクタ２２と、複数本（本実施形態では、３本）の分岐管２３と、取付フランジ２４とを有している。なお、インテークマニホールド２０は、上下方向に分割された合成樹脂製の４つの分割体によって構成されており、それら分割体が上下方向において重ねられた状態で振動溶着によって互いに固定された構造になっている。
【００１４】
サージタンク２１は、上方側の壁部を構成する頂壁２１Ａと、頂壁２１Ａの周縁から下方に向けて立設された環状の側周壁２１Ｂと、側周壁２１Ｂの下部を塞いで下方側の壁部を構成する底壁２１Ｃとを有している。サージタンク２１は、一時的に空気を貯めておく容積部として機能する。
【００１５】
コネクタ２２は有蓋筒状をなすとともに、サージタンク２１の側周壁２１Ｂの外面に突設されている。コネクタ２２の基端側の部分は、サージタンク２１の内部に連通されるとともに同サージタンク２１の側周壁２１Ｂから外周側（図２の左側）に延びている。コネクタ２２の先端側の部分は、上記基端側の部分の突端から上方に向けて延びている。詳しくは、コネクタ２２は、上方側の壁部を構成する頂壁２２Ａと、同頂壁２２Ａの周縁から下方に向けて立設された環状の側周壁２２Ｂと、下方側の壁部を構成する底壁２２Ｃとを有している。コネクタ２２の側周壁２２Ｂの基端側（図２の下側）の部分は、コネクタ２２とサージタンク２１とを連通するように、サージタンク２１の側周壁２１Ｂに接続されている。コネクタ２２の頂壁２２Ａには、内燃機関の吸気通路における吸気流れ方向上流側の部分（詳しくは、スロットル機構）を固定するための固定部２５が設けられている。また、コネクタ２２の頂壁２２Ａには、同コネクタ２２の内外を連通する断面円形状の貫通孔（導入路３０）が設けられている。この導入路３０を介して、上記吸気通路からコネクタ２２の内部に空気が導入される。
【００１６】
複数の分岐管２３は、サージタンク２１の側周壁２１Ｂにおける上記コネクタ２２からの空気の導入方向（図２の左右方向）に沿って延びる部分（図２の紙面奥側に配置される部分）に各別に接続されている。各分岐管２３は、サージタンク２１の側周壁２１Ｂと取付フランジ２４とを接続するように同サージタンク２１の外面に沿って延びている。各分岐管２３の一端はサージタンク２１の内部（具体的には、側周壁２１Ｂの内面）で開口しており、他端は取付フランジ２４の接続面２４Ａで開口している。
【００１７】
取付フランジ２４は、各分岐管２３が並ぶ方向（図１の左右方向）に延びる略板状をなしている。この取付フランジ２４を内燃機関（図示略）の外壁に固定することにより、インテークマニホールド２０の各分岐管２３が内燃機関の各吸気ポートに接続されるようになっている。
【００１８】
インテークマニホールド２０では、前記スロットル機構の作動を通じて調量された空気がコネクタ２２の導入路３０を介してサージタンク２１内に導入される。そして、サージタンク２１内に導入された空気は、各分岐管２３を介して内燃機関の各吸気ポートに分配供給される。
【００１９】
図２および図４に示すように、コネクタ２２の側周壁２２Ｂには、同コネクタ２２の内外を連通する態様で延びる円筒状のＥＧＲ管２６が設けられている。このＥＧＲ管２６は、サージタンク２１（具体的には、コネクタ２２）の内部にＥＧＲガスを導入するためのＥＧＲ通路の一部を構成するものであり、ＥＧＲ部として機能する。ＥＧＲ管２６は、サージタンク２１内における各分岐管２３の開口の並び方向（図２の左右方向）と直交する方向において延びている。ＥＧＲ管２６の基端はコネクタ２２の内部で開口しており、先端側の部分はコネクタ２２の側周壁２２Ｂから外周側に突出している。インテークマニホールド２０の取り付けに際しては、ＥＧＲ管２６に、内燃機関に接続されたＥＧＲホース（図示略）が接続される。これにより、このＥＧＲ管２６を介して、内燃機関の排気通路内の排気の一部をＥＧＲガスとしてコネクタ２２内に導入することが可能になる。
【００２０】
また、コネクタ２２の側周壁２２Ｂには、同コネクタ２２の内外を連通する態様で延びる円筒状のＰＣＶ管２７が設けられている。このＰＣＶ管２７は、サージタンク２１（具体的には、コネクタ２２）の内部にブローバイガスを導入するためのＰＣＶ通路の一部を構成するものであり、ブローバイガス部として機能する。ＰＣＶ管２７は、サージタンク２１内における各分岐管２３の並び方向（図２の左右方向）に沿う方向において延びている。ＰＣＶ管２７の基端はコネクタ２２の内部で開口しており、先端側の部分はコネクタ２２の側周壁２２Ｂから外周側に突出している。インテークマニホールド２０の取り付けに際しては、ＰＣＶ管２７に、内燃機関に接続されたＰＣＶホース（図示略）が接続される。これにより、ＰＣＶ管２７を介して、内燃機関のクランクケース内のガス（ブローバイガスを含む）をサージタンク２１内に導入することが可能になる。
【００２１】
インテークマニホールド２０におけるサージタンク２１の内部には、コネクタ２２を介して空気が導入されることに加えて、ＥＧＲ管２６を介してＥＧＲガスが導入されるとともにＰＣＶ管２７を介してケース内ガスが導入される。そして、サージタンク２１内の空気、ＥＧＲガス、およびケース内ガスが各分岐管２３を介して内燃機関の各気筒に分配供給される。
【００２２】
ここで、インテークマニホールド２０は、コネクタ２２の内部にＥＧＲガスやケース内ガスが導入される構造になっている。そのため、前述した吹き返し現象が発生すると、一時的であるとはいえ、ＥＧＲガスおよびケース内ガスが吸入空気ともどもコネクタ２２内からスロットル機構内に逆流して導入されるようになる。ＥＧＲガスに含まれる煤成分やケース内ガスに含まれる未燃燃料成分およびオイル成分は、デポジット発生の原因となることが知られている。そのため、吹き返し現象の発生はスロットル機構の内部におけるデポジット発生の原因になると云える。そして、そうしたデポジットの発生は、スロットル機構内における空気の流路を狭くしたり、スロットル機構の動作速度を低下させたりしてしまう。
【００２３】
この点をふまえて本実施形態では、前述した吹き返し現象の発生を抑えるために、コネクタ２２の内部に邪魔板３１（図２）を設けるようにしている。以下、邪魔板３１およびその周辺の構造について詳細に説明する。
【００２４】
図５〜図７に示すように、邪魔板３１は、コネクタ２２の頂壁２２Ａにおける導入路３０の開口周縁に沿って延びる態様で同頂壁２２Ａの内面に突設されている。邪魔板３１は、導入路３０の内周壁がコネクタ２２の内方に延伸された形状になっている。邪魔板３１としては、導入路３０の開口周縁において９０度にわたって延びるものが、９０度間隔で２つ設けられている。
【００２５】
邪魔板３１が設けられていない部分は、導入路３０の開口周縁におけるＥＧＲ管２６に近い側（図７の下方側）の部分とＥＧＲ管２６から遠い側（図７の上方側）の部分とになっている。図７は、導入路３０が延びる方向においてコネクタ２２を見た状態（詳しくは、邪魔板３１および側周壁２２Ｂを上方から見た状態）を示しており、図７中の線Ｌ１は、この状態でコネクタ２２内における導入路３０の開口の中心Ｃ１と上記ＥＧＲ管２６の開口の中心Ｃ２とを繋いだ仮想線を示している。図７に示すように、邪魔板３１は、上記仮想線Ｌ１を描いた場合において同仮想線Ｌ１と重なる部分には設けられていない。すなわち、上記仮想線Ｌ１を描いた場合に同仮想線Ｌ１と重ならない態様で邪魔板３１は設けられている。
【００２６】
邪魔板３１は、導入路３０の開口周縁におけるＰＣＶ管２７に近い側（図７の右側）の部分とＰＣＶ管２７から遠い側（図７の左側）の部分には設けられている。図７中の線Ｌ２は、導入路３０が延びる方向においてコネクタ２２を見た状態で同コネクタ２２内における導入路３０の開口の中心Ｃ１と上記ＰＣＶ管２７の開口の中心Ｃ３とを繋いだ仮想線を示している。邪魔板３１は、上記仮想線Ｌ２を描いた場合において同仮想線Ｌ２と重なる部分には設けられている。すなわち、上記仮想線Ｌ２を描いた場合に同仮想線Ｌ２と邪魔板３１の一部とが重なる態様で、邪魔板３１は設けられている。
【００２７】
図４に示すように、コネクタ２２の頂壁２２Ａの固定部２５には、スロットルバルブ４０の回転軸４１が前記取付フランジ２４の延設方向（図４の左右方向）に沿って延びる状態で、前記スロットル機構が取り付けられる。そして、このスロットルバルブ４０は、開弁に際して、ＥＧＲ管２６側（図４の下方側）の部分がコネクタ２２側（図４の紙面奥側）に倒れ込む態様で回転するようになっている。
【００２８】
図５に示すように、邪魔板３１は、コネクタ２２内における導入路３０の開口周縁において上記回転軸４１の吸気流れ方向下流に当たる部分（具体的には、図５においてコネクタ２２における導入路３０の開口周縁と回転軸４１とが重なる部分）には設けられている。また図５および図６に示すように、コネクタ２２の頂壁２２Ａには、導入路３０の開口周縁に沿って延びる外周壁部３２が設けられている。この外周壁部３２は上記邪魔板３１の外周側において内面が円筒状をなす筒状で延びている。本実施形態では、導入路３０、邪魔板３１および外周壁部３２が、コネクタ２２の頂壁２２Ａに設けられている。そして、邪魔板３１は外周壁部３２の外縁端にあたる段差部２２Ｄ（詳しくは、外周壁部３２と頂壁２２Ａとの境界の段差状の部分）の内面よりも下方側の位置まで突出している。
【００２９】
以下、インテークマニホールド２０による作用効果について説明する。
前述した吹き返し現象は次のようにして生じる。図６中に太線の矢印で示すように、コネクタ２２の導入路３０からインテークマニホールド２０内に導入された空気の一部が、吸気脈動などによって、導入路３０の開口周縁付近に戻るようになる。そして、導入路３０の開口周縁付近に戻った空気が、コネクタ２２からサージタンク２１内に流入する空気の流れに周縁から巻き込まれるようにしてコネクタ２２に進入するとともにコネクタ２２よりも上流側の吸気通路（スロットル機構）に戻ることにより、吹き返し現象は発生する。
【００３０】
インテークマニホールド２０では、コネクタ２２内における導入路３０の開口周縁に邪魔板３１が突設されている。そのため、図６中に矢印Ｆ１で示すように、導入路３０の開口周縁付近に戻った空気の流れが上記邪魔板３１に突き当たってコネクタ２２の頂壁２２Ａから離間する方向、すなわち導入路３０からコネクタ２２内に流入する空気の流れに沿う方向（図６の下方）に曲げられるようになる。これにより、コネクタ２２の開口周縁付近に戻された空気の流れが同コネクタ２２の内部に向かい難い構造になるため、吹き返し現象の発生を抑えることができる。したがって本実施形態のインテークマニホールド２０によれば、吹き返し現象の発生に起因するデポジットの発生を抑えることができる。
【００３１】
また本実施形態では、図５、図６および図８に示すように、コネクタ２２の頂壁２２Ａの一部が、邪魔板３１よりも外周側において、導入路３０の開口周縁に沿って延びる筒状の外周壁部３２になっている。これによりインテークマニホールド２０では、邪魔板３１の外周面と外周壁部３２の内周面とが溝内面になる凹溝３３が、邪魔板３１よりも外周側において導入路３０の開口周縁に沿って延びている。そのため、サージタンク２１の内壁面に沿って流れて導入路３０の開口周縁付近に戻った空気の流れの一部が、図８中に太線の矢印で示すように、凹溝３３の内部に一旦進入した後に同凹溝３３の外部に脱出する方向（図８の下方）に曲げられるようになる。これにより、外周壁部３２を有していないものと比較して、導入路３０の開口周縁付近に戻る空気の流れが該導入路３０からコネクタ２２内に流入する空気の流れに沿う方向に向かい易い構造、すなわち導入路３０の内部に向かい難い構造にすることができる。
【００３２】
なお図８に示すように、邪魔板３１の上記段差部２２Ｄの内面からの突出高さ（図８中にＨで示す）は、各種の実験やシミュレーションの結果をもとに、サージタンク２１内における吸入空気の流れのバランスを保ちつつ吹き返し現象の発生を抑えることの可能な高さ（本実施形態では、５ｍｍ）が予め求められた上で定められている。
【００３３】
図７および図９に示すように、本実施形態では、上記導入路３０の開口周縁におけるＥＧＲ管２６に近い側の部分には邪魔板３１が設けられていない。そのため、図９中に白抜きの矢印で示すように、邪魔板３１が設けられていない非配設部分からＥＧＲ管２６側に空気を流出させることができる。そして、そうした空気の流れ（図９中の矢印Ｆ２）をＥＧＲ管２６からコネクタ２２内に流入するＥＧＲガスの流れ（図９中の矢印Ｆ３）に衝突させることができるため、空気とＥＧＲガスとの混合が促進されるようになる。
【００３４】
また、前述したようにスロットルバルブ４０（図５）は、開弁に際して、ＥＧＲ管２６に近い側の部分がコネクタ２２側に倒れ込む態様で回転する。そのため、導入路３０を通過する空気の流勢は、ＥＧＲ管２６に近い側の部分において強くなり易いと云える。本実施形態のインテークマニホールド２０では、そうしたＥＧＲ管２６に近い側の部分、すなわち空気の流勢が強くなり易い部分には邪魔板３１が設けられていない。そのため、この部分を介して、コネクタ２２内に空気を勢いよく流入させることができるようになる。これにより、インテークマニホールド２０内において吸入空気とＥＧＲガスとケース内ガスとが混合され易くなっている。
【００３５】
このように本実施形態によれば、インテークマニホールド２０内において空気とＥＧＲガスとが混合され易くすることができるため、内燃機関の各気筒に対するＥＧＲガスの分配量のばらつきを抑えることができる。
【００３６】
しかも、邪魔板３１が設けられていない非配設部分からコネクタ２２内のＥＧＲ管２６側に流出した空気の流れ（図９中の矢印Ｆ２）によって、ＥＧＲ管２６からコネクタ２２内に流入するＥＧＲガスが押し流される構造になるため、同ＥＧＲガスが導入路３０側に向かい難い構造にすることもできる。
【００３７】
また本実施形態では、導入路３０の開口周縁において邪魔板３１が設けられない非配設部分として、ＥＧＲ管２６に近い側の部分に加えて、ＥＧＲ管２６から遠い側の部分も設定されている。これにより、導入路３０の開口周縁におけるＥＧＲ管２６に近い側の非配設部分（図９の左側）と同ＥＧＲ管２６から遠い側（図９の右側）の非配設部分とから外周側に向けて空気を流出させることができる（図９中の矢印Ｆ２，Ｆ４）。そのため、ＥＧＲ管２６に近い側の部分のみが非配設部分として設定される場合と比較して、導入路３０を介してコネクタ２２に流入する空気を同コネクタ２２の内部にバランス良く拡散させることができる。
【００３８】
さらに本実施形態では、図６および図７に示すように、導入路３０の開口周縁におけるＰＣＶ管２７に近い側（図６の左側）の部分には邪魔板３１が設けられている。そのため、同部分に邪魔板３１が設けられていない場合と比較して、コネクタ２２内におけるＰＣＶ管２７の開口と導入路３０の開口周縁における邪魔板３１が設けられていない非配設部分との距離を遠くすることができる。これにより、ＰＣＶ管２７からコネクタ２２内に流入した後に導入路３０に向かうケース内ガスが、同導入路３０に流入し難い構造にすることができる。
【００３９】
また、図４および図５に示すように、本実施形態のインテークマニホールド２０では、コネクタ２２の上流側にスロットルバルブ４０が配置されているため、同スロットルバルブ４０の回転軸４１が内燃機関の吸気通路内における空気の流れの邪魔になる。このことから、コネクタ２２内における導入路３０の開口周縁の中でもスロットルバルブ４０の回転軸４１の下流に当たる部分においては、コネクタ２２内に向かう空気の流速が遅くなり易く、吹き返し現象が発生し易いと云える。したがって、スロットルバルブ４０の回転軸４１付近はデポジットが生じ易く、同部分におけるデポジットの発生はスロットルバルブ４０の動作不良を招く一因になってしまう。
【００４０】
本実施形態では、図５に示すように、導入路３０の開口周縁におけるスロットルバルブ４０の回転軸４１の下流に当たる部分には邪魔板３１が配設されている。そのため、この部分における吹き返し現象の発生は邪魔板３１によって抑えられるようになる。これにより、スロットルバルブ４０の回転軸４１にデポジットが生じることが抑えられるため、スロットルバルブ４０の動作不良の発生が抑えられるようになる。
【００４１】
以上説明したように、本実施形態によれば、以下に記載する効果が得られる。
（１）コネクタ２２の頂壁２２Ａの内面に、導入路３０の開口の周縁に沿って延びる邪魔板３１を突設した。そのため、吹き返し現象の発生に起因するデポジットの発生を抑えることができる。
【００４２】
（２）導入路３０が延びる方向においてコネクタ２２を見た状態で同コネクタ２２の内部における導入路３０の開口の中心Ｃ１とＥＧＲ管２６の開口の中心Ｃ２とを繋ぐ仮想線Ｌ１を描いた場合に、この仮想線Ｌ１上には邪魔板３１が設けられていない。そのため、内燃機関の各気筒に対するＥＧＲガスの分配量のばらつきを抑えることができる。
【００４３】
（３）コネクタ２２の頂壁２２Ａには、邪魔板３１の外周側において導入路３０の開口の周縁に沿って延びる筒状の外周壁部３２が設けられている。そのため、外周壁部３２を有していないものと比較して、導入路３０の開口周縁付近に戻る空気の流れが該導入路３０からコネクタ２２内に流入する空気の流れに沿う方向に向かい易い構造、すなわちコネクタ２２の内部に向かい難い構造にすることができる。
【００４４】
＜変形例＞
なお、上記実施形態は、以下のように変更して実施してもよい。
・サージタンク２１内面の凹溝３３を省略してもよい。こうした構成としては、コネクタ２２の頂壁２２Ａに外周壁部３２を配置することなく導入路３０および邪魔板３１を設けるといった構成を採用することができる。
【００４５】
・導入路３０の開口周縁に沿う方向における邪魔板３１の延設長さや間隔は、任意に変更することができる。
・導入路３０の開口周縁において邪魔板３１が設けられない部分は、内燃機関の各気筒に対するＥＧＲガスの分配量のばらつきと吹き返し現象の発生とが共に好適に抑えられるのであれば、任意に変更することができる。例えば、導入路３０の開口周縁において邪魔板３１が設けられない非配設部分として、ＥＧＲ管２６に近い側の部分を設定するとともに、ＥＧＲ管２６から遠い側の部分を設定しないようにしてもよい。
【００４６】
・図１０に示すインテークマニホールド６０のように、邪魔板６１として、導入路３０の開口周縁の全周（３６０度）にわたって延びるものを設けるようにしてもよい。
・図１１に示すインテークマニホールド７０のように、邪魔板７１の突端を、導入路３０の開口周縁に沿う方向において突出高さが高い部分と低い部分とが交互に並ぶ凸凹形状（いわゆるギザギザ形状）にしてもよい。
【００４７】
上記構成によれば、導入路３０の開口周縁付近に戻った空気の流れが、上記邪魔板７１における突出高さの高い部分に突き当たって導入路３０からコネクタ２２内に流入する空気の流れに沿う方向に曲げられるため、同導入路３０の内部に向かい難い構造にすることができる。しかも、邪魔板７１における突出高さが低い部分から、上記導入路３０を通じてコネクタ２２内に流入する空気の一部を外周側に流出させることができるため、コネクタ２２内の広い範囲に空気を導入することができる。このように上記構成によれば、導入路３０の開口周縁付近に戻る空気の流れが同導入路３０の内部に向かい難い構造にすること、およびコネクタ２２内の広い範囲に空気を導入することを高い自由度で両立させることができる。
【００４８】
・上記実施形態のインテークマニホールドは、ＥＧＲ部を有していないインテークマニホールドにも適用可能である。
【符号の説明】
【００４９】
２０，６０，７０…インテークマニホールド、２１…サージタンク、２１Ａ…頂壁、２１Ｂ…側周壁、２１Ｃ…底壁、２２…コネクタ、２２Ａ…頂壁、２２Ｂ…側周壁、２２Ｃ…底壁、２２Ｄ…段差部、２３…分岐管、２４…取付フランジ、２４Ａ…接続面、２５…固定部、２６…ＥＧＲ管、２７…ＰＣＶ管、３０…導入路、３１，６１，７１…邪魔板、３２…外周壁部、３３…凹溝、４０…スロットルバルブ、４１…回転軸。
【図１】
2020026772.tif 000003
【図２】
2020026772.tif 000004
【図３】
2020026772.tif 000005
【図４】
2020026772.tif 000006
【図５】
2020026772.tif 000007
【図６】
2020026772.tif 000008
【図７】
2020026772.tif 000009
【図８】
2020026772.tif 000010
【図９】
2020026772.tif 000011
【図１０】
2020026772.tif 000012
【図１１】
2020026772.tif 000013